(57)【要約】【課題】特殊な部材を用いたり、ねじの個数を増やしたりせず、長期間にわたりびびり音の発生を抑制することができる液晶表示装置を提供する。【解決手段】液晶表示パネル１と、パネルシャーシ３と、ベゼル４とを備えており、ベゼル４はパネルシャーシ３の４辺のそれぞれに配置される棒状部材４０に分割可能であり、棒状部材４０の側面カバー部４２は、側壁３２に形成された少なくとも貫通孔を備えた嵌挿部３３に挿入嵌合される止め部４３を備えている液晶表示装置Ａ【選択図】図４
2012058611.tif 000002
【特許請求の範囲】
【請求項１】
液晶表示パネルと、
前記液晶表示パネルを保持する正面視矩形状のパネルシャーシと、
前記パネルシャーシの正面側をカバーする正面カバー部及び側壁をカバーする側面カバー部を含むベゼルとを備えた液晶表示装置であって、
前記ベゼルは前記パネルシャーシの４辺のそれぞれに配置される棒状部材に分割可能であり、
前記棒状部材の前記側面カバー部は、前記棒状部材を前記パネルシャーシの各辺に当接させ、その辺に沿って摺動させることで、前記側壁に形成された貫通孔を備える嵌挿部に挿入嵌合される止め部を備えていることを特徴とする液晶表示装置。
【請求項２】
前記止め部は、前記側面カバー部より内側に突出した脚部と、前記脚部と連結した押え部とを備えており、
前記押え部は前記側面カバー部と前記側面カバー部の厚み方向に並んで配置されている請求項１に記載の液晶表示装置。
【請求項３】
前記押え部は長方形状の部材であり、前記押え部の前記脚部と反対側の端部にはチャンファーが形成されている請求項２に記載の液晶表示装置。
【請求項４】
前記押え部は長方形状の部材であり、前記押え部の前記脚部と反対側の端部にはフィレットが形成されている請求項２に記載の液晶表示装置。
【請求項５】
前記押え部の前記脚部と反対側の端部は、先端に向かうに従って前記側面カバー部からはなれるように傾斜したリード部を備えている請求項２から請求項４のいずれかに記載の液晶表示装置。
【請求項６】
前記押え部は、前記棒状部材が前記パネルシャーシに取り付けられたとき、前記側壁に向って突出するリブを備えている請求項２から請求項５のいずれかに記載の液晶表示装置。
【請求項７】
前記嵌挿部の前記押え部が接触する部分には、前記棒状部材が前記パネルシャーシに正確に取り付けられたときに、前記リブが係合する係合孔を備えている請求項６に記載の液晶表示装置。
【請求項８】
前記リブは前記押え部の先端側から脚部側に向けて前記側壁に近づくように傾斜する楔形である請求項７に記載の液晶表示装置。
【請求項９】
前記リブは前記押え部を切り曲げることで形成されている請求項８に記載の液晶表示装置。
【請求項１０】
前記側壁には、前記リブが前記係合孔と係合したとき、前記押え部の少なくとも一部と重なるように形成された貫通孔形状の確認窓が形成されている請求項９に記載の液晶表示装置。
【請求項１１】
前記押え部には、前記リブが前記係合孔と係合したとき、前記嵌挿部の前記貫通孔の辺縁部と重なるように形成された確認マーカーを備えている請求項９又は請求項１０に記載の液晶表示装置。
【請求項１２】
前記嵌挿部には、内側に凹んだカバー部を備えている請求項１から請求項１１のいずれかに記載の液晶表示装置。
【請求項１３】
前記カバー部には、内側に向かって徐々に狭くなるガイド部が形成されている請求項１２に記載の液晶表示装置。
【請求項１４】
前記棒状部材は前記パネルシャーシの取り付けられる辺と隣の辺の側壁と接触する側面固定部を備えており、
前記側面固定部が前記側壁に固定される請求項１から請求項１３のいずれかに記載の液晶表示装置。
【請求項１５】
前記正面カバー部の一方の端部は隣の棒状部材と連結する連結部を、他方の端部には反対側の隣の棒状部材の連結部と連結する被連結部とを備えている請求項１から請求項１４のいずれかに記載の液晶表示装置。
【発明の詳細な説明】
【技術分野】
【０００１】
本発明は、液晶表示装置に関するものである。
【背景技術】
【０００２】
近年、多くのテレビジョン受像機には、液晶表示装置が採用されている。前記液晶表示装置は、液晶表示パネルと、前記液晶表示パネルの背面に配置されるバックライトユニットとを備えている。前記液晶表示装置では、前記液晶表示パネルに備えられた液晶パネルで前記バックライトユニットからの光の透過率（透過量）を調整し、前記液晶表示パネルの正面に映像を表示している。また、前記テレビジョン受像機は、映像を表示するための液晶表示装置を備えるとともに、音声を発生する、スピーカも備えている。
【０００３】
前記液晶表示装置は、前記液晶表示パネル及び前記バックライトユニットを保持するパネルシャーシと、前記液晶表示パネルの画像領域が外部に露出するように、前記パネルシャーシをカバーするベゼルとを備えている。
【０００４】
大型の液晶表示装置において、前記液晶表示パネル及び前記パネルシャーシ自体が大きいので、前記液晶表示パネル及び前記パネルシャーシの寸法のばらつきが大きくなる傾向にある。また、前記液晶表示パネル及び前記パネルシャーシ自体が大きいので、自重や熱による変形量（例えばたわみ）も大きくなる。そこで、大型の液晶表示装置では、前記液晶表示パネルや前記パネルシャーシ等の構成部材の寸法のばらつき、変形をある程度まで許容するため、各部材間に隙間ができるように設計されている場合が多い。しかしながら、このような隙間が形成されていると、その隙間にガタが生じ、例えば前記スピーカからの振動がこのガタに伝達されるとびびり音が発生し、前記テレビジョン受像機の品質低下につながる。
【０００５】
そこで、このようなびびり音を抑制するため、特開２００４−１３３０９８号公報に記載の液晶表示装置では、液晶パネルと前記液晶パネルを挟持する挟持枠体（本発明では、パネルシャーシ及びベゼル）とのびびり音の発生を抑えるため、前記液晶パネルと前記挟持枠体との間に緩衝材を配置し、前記液晶パネルと前記緩衝材を接着することで、前記液晶パネルを前記挟持枠体に固定している。これにより、前記液晶パネルと前記挟持枠体とのガタを取ることができ、びびり音の発生を抑制している。
【先行技術文献】
【特許文献】
【０００６】
【特許文献１】特開２００４−１３３０９８号公報
【発明の概要】
【発明が解決しようとする課題】
【０００７】
特開２００４−１３３０９８号公報に記載の液晶表示装置では、前記液晶パネルと前記挟持枠体とのびびり音の発生を抑えている。一方で、前記パネルシャーシと前記ベゼルとは、通常ねじ止めされる構成となっており、しっかり固定されている。しかしながら、大型の液晶表示装置では、ねじでの固定の間隔が大きくなり、ねじで固定されている部分の間は、ねじによる固定力が不十分となり、その部分ではガタが発生しやすくびびり音が発生しやすい。
【０００８】
このような、前記パネルシャーシと前記ベゼルとのびびり音の発生を抑制するため、ねじ止め部を増やす方法がある。ねじ止め部を増やすことで、ねじによる前記パネルシャーシと前記ベゼルとを圧着する力の及ぶ範囲を広くし、びびり音の発生を抑制することが可能である。しかしながら、ねじ止め部を増やすと、ねじの個数が増え、部品点数が多くなるとともに、前記パネルシャーシと前記ベゼルのねじ止め部の加工が増え、作業性が低くなる。
【０００９】
また、前記パネルシャーシと前記ベゼルとのねじ止め部の間の部分を粘着テープで機械的に固定する方法も提案されている。前記ねじ止め部の間の部分を粘着テープで固定することで、ねじ止めよりも容易に前記ベゼルと前記パネルシャーシとのガタを取ることができ、びびり音の発生を抑えることができる。しかしながら、前記前記パネルシャーシや前記ベゼルは、前記バックライトや組み込まれている電子機器等からの熱によって高温となる。粘着テープは、高温や経年変化によって粘着力が低下してしまう。この粘着テープの粘着力の低下によって、前記パネルシャーシと前記ベゼルとの機械的な固定力が低下し、びびり音が発生しやすくなる場合がある。
【００１０】
そこで本発明は、特殊な部材を用いたり、ねじの個数を増やしたりせず、長期間にわたりびびり音の発生を抑制することができる液晶表示装置を提供することを目的とする。
【課題を解決するための手段】
【００１１】
上記目的を達成するために本発明は、液晶表示パネルと、前記液晶表示パネルを保持する正面視矩形状のパネルシャーシと、前記パネルシャーシの正面側をカバーする正面カバー部及び側壁をカバーする側面カバー部を含むベゼルとを備えた液晶表示装置であって、前記ベゼルは前記パネルシャーシの４辺のそれぞれに配置される棒状部材に分割可能であり、前記棒状部材の前記側面カバー部は、前記棒状部材を前記パネルシャーシの各辺に当接させ、それぞれの辺に沿って摺動することで、前記側壁に形成された貫通孔を備える嵌挿部に挿入嵌合される止め部を備えていることを特徴とする。
【００１２】
この構成によると、前記ベゼルを分割した前記棒状部材をそれぞれ固定することが可能であるので、全体を同時に固定する場合に比べて、寸法誤差の制限を受けにくい。また、前記ベゼル全体に比べて軽量な棒状部材をそれぞれ固定するので、１箇所の固定力が小さくても、びびり音の発生を抑制できる。
【００１３】
以上のことより、液晶表示装置の構成部材を増やすことなく、或いは、ねじ止め箇所を増やすことなく、びびり音を効率よく抑制することが可能である。
【００１４】
上記構成において、前記止め部は、前記側面カバー部より内側に突出した脚部と、前記脚部と連結した押え部とを備えており、前記押え部は前記側面カバー部と並んで形成されていてもよい。なお、前記棒状部材が金属板で形成されている場合、前記脚部及び前記押え部が切り曲げて形成されているものを採用できる。
【００１５】
上記構成において、前記押え部は長方形状の部材であり、前記押え部の前記脚部と反対側の端部にはチャンファー又はフィレットが形成されていてもよい。また、前記押え部の前記脚部と反対側の端部は、先端に向かうに従って前記側面カバー部から離れるように傾斜したリード部を備えていてもよい。この構成によると、前記押え部の先端が容易に前記貫通孔に導入されるので、前記止め部の前記嵌挿部への取り付けの確実性を上げることができる。
【００１６】
上記構成において、前記押え部は前記棒状部材が前記パネルシャーシに取り付けられたとき、前記側壁に向かって突出するリブを備えていてもよい。これにより、前記押え部が前記側壁を強く押すので前記棒状部材が前記パネルシャーシにしっかり固定され、びびり音を抑制することが可能である。
【００１７】
上記構成において、前記嵌挿部の前記押え部が接触する部分には、前記棒状部材が前記パネルシャーシに正確に取り付けられたときに、前記リブが係合する係合孔を備えているものであってもよい。作業者は、前記リブが前記係合孔に入るときに衝撃を認識することができる。これにより、前記棒状部材が正しく取り付けられたかどうか用意に知ることができ、組立不良の発生を抑えることができる。また、前記係合孔を貫通孔とすることで視認により前記リブが前記係合孔に係合されたことを確認できるので、組み立て不良の発生を抑えることができる。
【００１８】
上記構成において、前記リブは前記押え部の先端側から脚部側に向けて前記側壁に近づくように傾斜する楔形のものとしてもよい。この場合、前記押え部を切り曲げることで形成されていてもよい。このような楔形のリブが係合孔に係合することで、前記押え部が逆方向に移動するのを抑制することができる。これにより、前記棒状部材を前記パネルシャーシにしっかり取り付けることが可能である。
【００１９】
上記構成において、前記側壁に、前記リブが前記係合孔と係合したとき、前記押え部の少なくとも一部と重なるように形成された貫通孔形状の確認窓が形成されていてもよく、前記押え部に、前記リブが前記係合孔と係合したとき、前記嵌挿部の前記貫通孔の辺縁部と重なる確認マーカーが形成されていてもよい。
【００２０】
前記確認窓が形成されている場合、前記確認窓から見える押え部の形状で、前記リブが前記係合部と確実に係合しているかどうか、容易に確認することができる。同様に、前記確認マーカーが前記貫通孔の辺縁部と重なっていることを調べるだけで、前記リブが前記係合部と係合しているかどうか確認することが可能である。これにより、作業者が、前記リブが前記係合孔に挿入したときの衝撃を認識できなくても、視認により係合を確認することができるので、前記棒状部材を前記パネルシャーシに確実に取り付けることが可能である。
【００２１】
上記構成において、前記嵌挿部には、内側に凹んだカバー部を備えているものであってもよい。また、この構成のとき、前記カバー部に、内側に向かって徐々に狭くなるガイド部が形成されていてもよい。
【００２２】
上記構成において、前記棒状部材は前記パネルシャーシの取り付けられる辺と隣りの辺の側壁と接触する側面固定部を備えており、前記側面固定部が前記側壁に固定されるものであってもよい。
【００２３】
上記構成において、前記棒状部材は前記パネルシャーシの正面側をカバーする正面カバー部を備えており、前記正面カバー部の一方の端部は隣の棒状部材と連結する連結部を、他方の端部には反対側の隣の棒状部材の連結部と連結する被連結部とを備えていてもよい。
【発明の効果】
【００２４】
本発明によると、特殊な部材を用いたり、ねじの個数を増やしたりせず、長期間にわたりびびり音の発生を抑制することができる液晶表示装置を提供することができる。
【図面の簡単な説明】
【００２５】
【図１】本発明にかかる液晶表示装置を用いたテレビジョン受像機の背面側から見た分解斜視図である。
【図２】本発明にかかる液晶表示装置の一例の断面図である。
【図３】図２に示す液晶表示装置の正面図である。
【図４】図３に示す液晶表示装置の下から見た側面図である。
【図５】図４に示す液晶表示装置のＶ−Ｖ線で切断した拡大断面図である。
【図６】本発明にかかる液晶表示装置に用いられる止め部の変形例を示す図である。
【図７】本発明にかかる液晶表示装置に用いられる止め部の他の例の図５と同じ線で切断した断面図である。
【図８】本発明にかかる液晶表示装置の他の例の止め部と嵌挿部とを拡大した断面図である。
【図９】本発明にかかる液晶表示装置に用いられる止め部の他の例の図５と同じ線で切断した断面図である。
【図１０】本発明にかかる液晶表示装置に用いられる止め部の他の例の図５と同じ線で切断した断面図である。
【図１１】本発明にかかる液晶表示装置に用いられる止め部の他の例の側面図である。
【図１２】図１１に示す止め部のＸＩＩ−ＸＩＩ線で切断した断面図である。
【図１３】本発明にかかる液晶表示装置に用いられる止め部の他の例の側面図である。
【図１４】本発明にかかる液晶表示装置に用いられる嵌挿部の他の例の側面図である。
【図１５】本発明にかかる液晶表示装置に用いられる嵌挿部のＸＶ−ＸＶ断面図である。
【図１６】本発明にかかる液晶表示装置の他の例の平面図である。
【図１７】図１６に示す液晶表示装置の底面側から見た側面図である。
【図１８】本発明にかかる液晶表示装置のさらに他の例の平面図である。
【図１９】図１８に示す液晶表示装置の底面側からの側面図である。
【発明を実施するための形態】
【００２６】
以下に本発明の実施形態について図面を参照して説明する。図１は本発明にかかる液晶表示装置を用いたテレビジョン受像機の背面側から見た分解斜視図である。図１に示すテレビジョン受像機ＴＶは、外装筐体であるフロントキャビネットＦｃ及びリヤキャビネットＲｃと、フロントキャビネットＦｃ及びリヤキャビネットＲｃで囲まれた空間に配置される液晶表示装置Ａと、フロントキャビネットＦｃ及びリヤキャビネットＲｃで囲まれた空間の液晶表示装置Ｌｃの下部に配置されたスピーカＳｐと、リヤキャビネットＲｃの外部に配置されたスタンドＳｔとを備えている。
【００２７】
本発明にかかる液晶表示装置について図面を参照して説明する。図２は本発明にかかる液晶表示装置の一例の断面図である。なお、図２に示す液晶表示装置では、図中に示しているように、上が正面で下が背面である。図２に示すように、液晶表示装置Ａは、液晶表示パネル１と、液晶表示パネル１の背面に配置されたバックライトユニット２と、液晶表示パネル１及びバックライトユニット２を保持するパネルシャーシ３と、パネルシャーシ３の正面の外周部と側面部とを覆うベゼル４とを備えている。
【００２８】
液晶表示パネル１は、ＴＦＴ（薄膜トランジスタ）等のスイッチング素子を含むアレイ基板と、アレイ基板と対向して配置され、カラーフィルタが形成された対向基板と、アレイ基板と対向基板との間に形成され液晶が充填された液晶層とを含んでいる。なお、液晶表示パネル１は、ＴＦＴとカラーフィルタとは異なる基板に形成されているが、カラーフィルタもＴＦＴと同様に前記アレイ基板に形成され、対向基板には透明電極だけが形成されている構成であってもよい。
【００２９】
バックライトユニット２は、正面側に開口を有する箱型のバックライトシャーシ２１と、バックライトシャーシ２１に配置されたランプ２２と、ランプ２２の両端部を支持するランプソケット２３と、バックライトシャーシ２１に固定されランプ２２の中間部を支持すランプクリップ２４と、バックライトシャーシ２１に取り付けられランプ２２及びランプソケット２３を正面側から保持するランプホルダ２５と、ランプ２２からの光を拡散させる光学シートユニット２６と、ランプホルダ２５に配置され、光学シートユニット２６の外周部を押えるシート押え２７とを備えている。
【００３０】
なお、バックライトユニット２は、光学シートユニット２６の背面にランプ２２（光源）を並べて配置した直下型のバックライトであるが、導光板と導光板の側面に対向して配置された光源（蛍光ランプ、ＬＥＤランプ等）を備えた、エッジ型のバックライトであってもよい。
【００３１】
バックライトシャーシ２１は金属板を切り曲げて形成された開口を有する箱状の部材である。なお、金属板を切り曲げたもの以外にも、樹脂の一体成形体であってもよい。バックライトシャーシ２１は長方形状の底面を有している。図２に示すバックライトユニット２において、ランプ２２は冷陰極管等の線状の蛍光ランプであるが、これに限定されるものではなく、例えば、ＬＥＤランプ等の発光素子を用いる構成のものであってもよい。ランプ２２は、バックライトシャーシ２１の底面に、ランプ２２の長手方向と直交する方向に配列されている。なお、図示は省略しているが、バックライトシャーシ２１には、ランプ２２からバックライトシャーシ２１向かって出射された光を、光学シートユニット２４に向けて反射する反射部材が配置されている。反射部材は白色のシートをバックライトシャーシ２１に貼り付けるものが良く用いられているが、それに限定されない。
【００３２】
ランプソケット２３はランプ２１の両端部を支持しており、ランプ２１に発光のための電力を供給している。そして、ランプホルダ２５が、バックライトシャーシ２１の正面側に配置され、ランプソケット２３の正面側を覆っている。さらに、ランプホルダ２５の正面側には、段差が形成されており、段差に光学シートユニット２６がシート押え２７を介して配置されている。
【００３３】
なお、ランプホルダ２５はランプ２１からの光を効率よく反射するため、白色の樹脂で形成されているが、それに限定されるものではなく、光を効率よく反射できるものを広く採用できる。シート押え２７は弾性変形可能な緩衝部材であり、バックライトユニット２をパネルシャーシ３に取り付けたとき、ランプホルダ２５との間及びパネルシャーシ３と間に挟持され、光学シートユニット２６に過剰な応力が作用するのを防いでいる。
【００３４】
ランプクリップ２４はランプ２１から出射された光を効率よく反射するため、白色の樹脂で形成されているが、それに限定されるものではなく、光を効率よく反射できるものを広く採用することができる。また、図２に示しているように、ランプソケット２３はランプ２１の中間部を保持するとともに、光学シートユニット２６を支持し、光学シートユニット２６がたわむのを抑制している。
【００３５】
光学シートユニット２６は、例えば、拡散シートやレンズシートなどの光学シートを重ねて配置した積層体である。なお、拡散シートは入射された光を内部で拡散するシートであり、光が入射すると、その光は拡散され、輝度むらの少ない面状光として出射される。レンズシートは光の放射特性を偏向させる（集光させる）シートであり、光が入射すると、その光は集光され、単位面積あたりの発光輝度が向上する。なお、これら以外の光学シートが用いられることもある。
【００３６】
パネルシャーシ３は樹脂を一体成形することで製造される部材である。パネルシャーシ３は中央に開口３１０を有する正面視長方形状のパネル支持部３１と、パネル支持部３１の背面側に一体形成された側壁３２とを備えている。側壁３２はパネル支持部３１の周縁部と連結されている。パネル支持部３１の正面側は開口３１０と隣り合うように段差３１１を備えている。この段差３１１にはパネル押え１１を介して液晶表示パネル１が取り付けられている。パネル押え１１は液晶表示パネル１の辺縁部を支持している。すなわち、液晶表示パネル１は辺縁部を、パネル押え１１を介してパネルシャーシ３に取り付けられている。
【００３７】
そして、パネルシャーシ３の側壁部３２で囲まれた部分にはバックライトユニット２が配置されている。このとき、ランプホルダ２５とパネルシャーシ３とでシート押え２７に挟まれた光学シートユニット２６を挟持している。シート押え２７は、圧縮されることで力を分散し、光学シートユニット２６に過剰な応力が作用するのを抑制することができる。また、シート押え部２７は、ランプホルダ２５及び（又は）パネルシャーシ３の表面の荒れ（凹凸）を吸収し、光学シートユニット２６が傾いたり、たわんだりするのを抑制することができる。
【００３８】
図２に示すように、ベゼル４はパネルシャーシ３の正面を覆う正面カバー部４１と、パネルシャーシ３の側面を覆う側面カバー部４２とを備えている。正面カバー部４１には開口４１０が形成されている。図２に示すように、正面カバー部４１は、開口４１０の辺縁部分でパネル押え１１を押圧している。液晶表示パネル１は、パネルシャーシ３とベゼル４とで挟持される。このとき、パネル押え１１がパネルシャーシ３及びベゼル４に直接接触しており、パネル押え１１は変形することで力を緩衝することができる部材であるので、パネルシャーシ３及びベゼル４から液晶表示パネル１に作用する力が緩和される。また、パネルシャーシ３及び（又は）ベゼル４の液晶表示パネル１と対向する面が平滑ではない（凹凸がある、湾曲している等）場合も、パネル押え１１が変形することで、液晶表示パネル１の一部での応力集中を抑制している。なお、液晶表示パネル１の画像を表示する領域（画像領域）は開口４１０から外部に露出している。
【００３９】
ベゼル４の側面カバー部４２はパネルシャーシ３の側壁３２と接触するように配置されている。そして、図２に示しているように、ベゼル４の正面カバー部４１、パネルカバー３、ランプホルダ２５及びバックライトシャーシ２１をねじＳｃでとも締めすることで、液晶表示装置Ａが組み立てられている。なお、ねじＳｃはベゼル４の正面カバー部４１から挿入され、バックライトシャーシ２１側で螺合されている。このとき、正面カバー部４１、パネルカバー３、ランプホルダ２５にはねじＳｃが貫通する貫通孔が形成されている。そして、バックライトシャーシ２１には、ねじＳｃが螺合される雌ねじが形成されていてもよいし、貫通孔が形成され、貫通孔より突出した部分を螺合するナットが配置されていてもよい。
【００４０】
以上のようにして、組み立てられた液晶表示装置Ａによる画像表示の原理は以下のとおりである。まず、ランプ２２から出射された光及びランプ２２から出射され反射部材で反射された光が、光学シートユニット２６に入射する。光学シートユニット２６に入射した光は、光学シートユニット２６を透過するときに、拡散・散乱され、そして面内において均一又は略均一な輝度の面状光として、光学シートユニット２６から出射される。
【００４１】
その後、光学シートユニット２６から出射された光は、パネルシャーシ３の開口３１０を通過し、液晶表示パネル１に入射する。液晶表示パネル１では、液晶層に電圧を印加することで、液晶層に充填されている液晶の配向方向を変化させ、光の透過率を調整する。なお、この光の透過率の調整は、液晶表示パネル１で画像を表示するときの最小単位である画素毎に行われるものである。そして、透過率が調整された光は、液晶表示パネル１に備えられているカラーフィルタで赤色（Ｒ）、緑色（Ｇ）、青色（Ｂ）のそれぞれの波長の光に変換される。液晶表示装置ＡはこのＲＧＢの光を合成することで画像を形成している。この画像は、液晶表示パネル１の画像領域に形成され、開口４１０から観察することが可能である。
【００４２】
（第１実施形態）
次に本発明の要部であるベゼルとパネルシャーシについて図面を参照して詳しく説明する。図３は図２に示す液晶表示装置の正面図であり、図４は図３に示す液晶表示装置の下から見た側面図であり、図５は図４に示す液晶表示装置のＶ−Ｖ線で切断した拡大断面図である。図３に示すように、液晶表示装置Ａでは、ベゼル４の正面カバー部４１が、複数個のねじＳｃで固定されている。正面カバー部４１は、四隅をねじＳｃで固定されている。しかしながら、これに限定されるものではなく、ベゼル４をパネルシャーシ３にしっかりとねじ固定できる場所及び個数とすることも可能である。
【００４３】
液晶表示装置Ａでは、正面側からねじＳｃをベゼル４、パネルシャーシ３、ランプホルダ２５及びバックライトシャーシ２１に形成された貫通孔又はねじ孔に挿入されるので、一方向（正面側）からの作業だけでよく、組み立ての手間と時間が少なくてすむ。一方で、図５に示しているように、ベゼル４の側面カバー部４２とパネルシャーシ３の側壁３２とは接触している。しかしながら、正面カバー部４２がねじ止めされる構成であるので、側面カバー部４２に振動（例えば図１に示すスピーカＳｐからの振動）が伝達されると、側面カバー部４２と側壁３２とがぶつかり合い、びびり音が発生する場合がある。そこで、液晶表示装置Ａでは、側面カバー部４２に形成されている止め部４３を側壁３２に形成されている嵌挿部３３に嵌挿することで、側面カバー部４２を側壁３２に押し当て、びびり音の発生を抑制している。
【００４４】
なお、図３に示すように、ベゼル４は上下の長辺を構成する棒状部材４０１、４０２、左右の短辺を構成する棒状部材４０３、４０４の４個の棒状部材４０に分割することが可能な枠体である。棒状部材４０は、金属板を切り曲げることで形成されている。なお、以下の説明では、ベゼル４の下部の長辺を構成する棒状部材４０１を用いて説明するが、他の棒状部材も同様の構成を有しており、実質上同じ部分は同じ符号が付してある。
【００４５】
棒状部材４０１の側面カバー部４２を側壁３２に押し当てる方法について詳しく説明する。棒状部材４０１には、側面カバー部４２の側壁３２側に一体に形成された止め部４３を３個備えている。なお、止め部４３の個数は３個に限定されるものではなく、液晶表示装置Ａの大きさによって変わるものであり、側面カバー部４２を側壁３２に確実に押しつけ、びびり音の発生を抑えることができる個数である。
【００４６】
止め部４３は、側面カバー部４２から内側に突出した（折り曲げられた）脚部４３１と、脚部４３１の先端から側面カバー部４２に沿う方向に延び（折り曲げられ）、側面カバー部４２と厚み方向に並ぶ押え部４３２とを備えている。そして、止め部４３が嵌挿される嵌挿部３３は、長方形状の貫通孔３３０を有し、内側の一部をカバーするカバー部３３１を備えている。カバー部３３１は、少なくとも止め部４３の押え部４３２の長さと同じ長さを有している。貫通孔３３０をカバー部３３１が覆っており、側部には押え部４３２が貫通する開口３３２が形成されている。
【００４７】
棒状部材４０１をパネルシャーシ３に取り付けるとき、止め部４３の押え部４３２を嵌挿部３３のカバー部３３１と接触するように嵌挿させる。この状態で、押え部４３２が開口３３２を貫通するように棒状部材４０１をスライドさせる。これにより、押え部４３２が開口３３２を貫通するとともに側壁３２の内面を押しつつスライドし、押え部４３２が側壁３２の内面を押える。このとき、棒状部材４０１の側面カバー部４２は側壁３２に押し付けられる方向に付勢される。これにより、側面カバー部４２が側壁３２に強く接触し、側面カバー部４２に振動源（スピーカＳｐ）から振動が伝達されても、側面カバー部４２が側壁３２から離れにくく、びびり音が発生しにくい。
【００４８】
なお、側壁３２の嵌挿部３３は、棒状部材４０１がパネルシャーシ３に摺動させて取り付けられることを考慮し、棒状部材４０１を取り付けるときの摺動方向と逆にずれて形成されている。そして、棒状部材４０１を取り付けた後、図３に示しているように、棒状部材４０１が取り付けられた下側の長辺の正面から見て時計回りに隣（左隣）の短辺に取り付けられる棒状部材４０３を取り付ける。このように時計回りに、上側の長辺に棒状部材４０２を取り付け、右側の短辺に棒状部材４０４を順に取り付ける。４個の棒状部材４０（４０１、４０２、４０３、４０４）がパネルシャーシ３に取り付けられた後、各棒状部材４０の正面カバー部４１のパネルシャーシ３の角部に当たる部分をねじＳｃで止めることで棒状部材４０は固定される。なお、棒状部材４０（４０１、４０２、４０３、４０４）の取り付けはこの順番に限定されるものではない。
【００４９】
また、図５に示す液晶表示装置Ａでは、嵌挿部３３の内側をカバーするカバー部３３１を備えている構成となっているが、カバー部３３１が形成されていない構造であってもよい。なお、カバー部３３１が形成されているほうが、開口３３２を小さくすることができるので、側壁３２の強度を確保することができ、側壁３２の変形（そりや曲がり）を抑制することが可能である。
【００５０】
（第２実施形態）
押え部４３２として長方形板状の部材を採用しているが、これに限定されるものではない。本発明にかかる液晶表示装置に用いられる止め部の他の例について図面を参照して説明する。図６は本発明にかかる液晶表示装置に用いられる止め部の変形例を示す図である。図６（Ａ）に示すように、押え部４３２は先端に向かって直線的に細くなるチャンファー４３２１を備えている。チャンファー４３２１を備えていることで、押え部４３２を嵌挿部３３の開口３３２に精度良く導くことができる。これにより、取付時に止め部４３が嵌挿部３３に確実に嵌挿され、棒状部材４０１をパネルシャーシ３にしっかり取り付けることが可能である。また、図６（Ｂ）に示すように、押え部４３２の先端にチャンファー４３２１の代わりにフィレット４３２２が形成されていても、同様の効果を得ることが可能である。
【００５１】
（第３実施形態）
また、図５に示しているように、押え部４３２は平板状に形成されているが、これに限定されるものではない。本発明にかかる液晶表示装置に用いられる止め部のさらに他の例について図面を参照して説明する。図７は本発明にかかる液晶表示装置に用いられる止め部の他の例の図５と同じ線で切断した断面図である。図７に示すように、押え部４３２は先端部が側面カバー部４２から離れるように傾斜したリード部４３２３が形成されている。このリード部４３２３が形成されていることで、押え部４３２の先端を嵌挿部３３に挿入させやすい。これにより、棒状部材４０１を簡単且つ確実にパネルシャーシ３の開口３３２に取り付けることが可能である。棒状部材４０１が確実にパネルシャーシ３に取り付けられるので、びびり音の発生を抑制できる。
【００５２】
（第４実施形態）
本発明にかかる液晶表示装置の止め部と嵌挿部の他の例について図面を参照して説明する。図８は本発明にかかる液晶表示装置の他の例の止め部と嵌挿部とを拡大した断面図である。図８に示す止め部４３は、押え部４３２の先端側に、側面カバー部４２側に向かって突出したリブ４３３を備えている。また、棒状部材４０１をパネルシャーシ３に取り付けたとき、側壁３２のリブ４３３と重なる位置には、リブ４３３が係合する係合孔３４を備えている。このように、棒状部材４０１をパネルシャーシ３に取り付けたとき、リブ４３３が係合孔３４に係合するときの衝撃がある。組立作業者はこの衝撃を検知することで、棒状部材４０１を正しくパネルシャーシ３に取り付けられたことを認識することができる。
【００５３】
また、リブ４３３を係合孔３４から確認することで、パネルシャーシ３に取り付けられたことを認識することも可能である。この場合、リブ４３３を押え部４３２と異なる色とすることで、認識を容易にすることが可能である。また、棒状部材４０１がパネルシャーシ３に確実に取り付けられるので、びびり音の発生を抑えることができる。なお、リブ４３３は押え部４３２を押し出し成形した凸部であってもよいし、別途用意された部材を取り付けるものであってもよい。
【００５４】
（第５実施形態）
本発明にかかる液晶表示装置の他の例について図面を参照して説明する。図９は本発明にかかる液晶表示装置に用いられる止め部の他の例の図５と同じ線で切断した断面図である。図９に示すようにリブ４３４は、押え部４３２の先端側から脚部４３１側に向かって押え部４３１から離れるように広がる楔形に形成されている。これにより、押え部４３２が開口３３２を通過するとき、リブ４３４の斜面が開口３３２に押されて脚部４３１及び押え部４３２が側壁３２から離れるように変形する。また、リブ４３４が楔形であることで、係合孔３４と係合した後は、リブ４３４が係合孔３４に引っかかり、止め部４３が嵌挿部３３から抜けにくくなる。これにより、棒状部材４０１はパネルシャーシ３から外れにくく、びびり音の発生を抑えることができる。なお、この構成の場合、係合孔３４からリブ４３４を押すことで係合を解除することが可能であり、止め部４３を嵌挿部３３から容易に取り外すことが可能である。
【００５５】
（第６実施形態）
本発明にかかる液晶表示装置の他の例について図面を参照して説明する。図１０は本発明にかかる液晶表示装置に用いられる止め部の他の例の図５と同じ線で切断した断面図である。図１０に示すリブ４３５は、図９に示すリブ４３４と同様の傾斜を有するように、押え部４３２を切り起こして形成している。すなわち、リブ４３５は３方に連続した切込みを入れた矩形状の脚部４３１側を側面カバー部４２側に引き起こした形状と成っている。このような楔形の形状であることで、リブ４３４と同様、リブ４３５が係合孔３４に係合することで、止め部４３が嵌挿部３３から抜けにくくなる。これにより、棒状部材４０１はパネルシャーシ３に固定することができ、びびり音の発生を抑えることができる。なお、この構成の場合、係合孔３４からリブ４３５を押すとリブ４３５自体が変形することで、係合孔３４とリブ４３５との係合を解除することができ、止め部４３を嵌挿部３３から容易に取り外すことが可能である。
【００５６】
（第７実施形態）
本発明にかかる液晶表示装置の他の例について図面を参照して説明する。図１１は本発明にかかる液晶表示装置に用いられる止め部の他の例の側面図であり、図１２は図１１に示す止め部のＸＩＩ−ＸＩＩ線で切断した断面図である。図１１及び図１２に示すように側壁３２には、係合孔３４に加えて押え部４３２を確認するための確認窓３５が形成されている。確認窓３５は貫通孔であり側壁３２の外部から押え部４３２の位置を確認することができるようになっている。確認窓３５は止め部４３を嵌挿部３３に取り付け、リブ４３４が係合孔３４と確実に係合したとき、押え部４３２の先端が、予め決められた領域を覆うように形成されている。
【００５７】
作業者は手袋をつけていたり、冶具で棒状部材４０１を保持していたりして、リブ４３４と係合孔３４とが係合するときの衝撃を感じることができない場合がある。この衝撃を感じることができないと、棒状部材４０１が正確にパネルシャーシ３に取り付けられているかどうか確認するのが難しい。この場合であっても、確認窓３５の中を確認することで、棒状部材４０１が正確に取り付けられているかどうか用意に確認できる。これにより、棒状部材４０１を正確にパネルシャーシ３に固定することができるので、びびり音の発生を抑えることができる。
【００５８】
（第８実施形態）
本発明にかかる液晶表示装置の他の例について図面を参照して説明する。図１３は本発明にかかる液晶表示装置に用いられる止め部の他の例の側面図である。図１３に示す押え部４３２には、止め部４３が嵌挿部３３に正確に取り付けられたとき、開口３３２の辺縁と重なるように配置された確認マーカー４３６が備えられている。確認マーカー４３６は止め部４３を嵌挿部３３に正確に取り付けたとき、側面から見て開口３３２の辺縁と重なるように形成されている。
【００５９】
例えば、別の構成部材が配置されている等で確認孔３５における押え部４３２の位置を確認できない場合であっても、確認マーカー４３６が開口と重なっていることを確認することで、棒状部材４０１をパネルシャーシ３に確実に取り付けられていることを確認することができる。これにより、棒状部材４０１を正確に固定することができるので、びびり音の発生を抑制することが可能である。なお、確認用孔３５と確認用マーカー４３６を両方備えていてもよい。確認用孔３５と確認用マーカー４３６を両方視認することで、棒状部材４０１のパネルシャーシ３への取り付けをより確実に確認することができる。また、いずれか一方が、視認が難しい場合であっても、棒状部材４０１とパネルシャーシ３への取り付けの確認を行うことができる。
【００６０】
（第９実施形態）
本発明にかかる液晶表示装置の他の例について図面を参照して説明する。図１４は本発明にかかる液晶表示装置に用いられる嵌挿部の他の例の側面図であり、図１５は本発明にかかる液晶表示装置に用いられる嵌挿部のＸＶ−ＸＶ断面図である。図１４及び図１５に示すように、嵌挿部３３のカバー部３３１は内側に向かって突出した凹部であり、凹部が内側に向かって狭まるように傾斜したガイド部３３３が形成されている。このガイド部３３３によって、止め部４３を嵌挿部３３に挿入、嵌合するとき押え部４３２を開口３３２の中央に正確に位置決めすることができる。これにより、簡単に且つ正確に止め部４３を嵌挿部３３に挿入、嵌合することができ、棒状部材４０１をパネルシャーシ３に確実に固定することができる。これにより、びびり音の発生を抑制することが可能である。
【００６１】
（第１０実施形態）
本発明にかかる液晶表示装置の他の例について図面を参照して説明する。図１６は本発明にかかる液晶表示装置の他の例の平面図であり、図１７は図１６に示す液晶表示装置の底面側から見た側面図である。図１６に示す液晶表示装置Ｂでは、ベゼル４の形状が異なる以外は、液晶表示装置Ａと同じ構成を有しており、実質上同じ部分には同じ符号が付してある。また、実質上同じ部分の説明は省略する。
【００６２】
図１６に示すように、ベゼル４の棒状部材４０１、４０２、４０３及び４０４をパネルシャーシ３に取り付けるときの摺動方向の後方端部に、正面カバー部４１と側面カバー部４２との両方に直交する側面固定部４４を備えている。棒状部材４０１、４０２、４０３及び４０４をパネルシャーシ３に取り付けた後、正面側から四隅をねじＳｃで固定し、さらに側面固定部４４を側壁３２にねじＳｃで固定する。図８に示すように、棒状部材４０３の側面固定部４４がパネルシャーシ３の底面側の側壁３２にねじ止め固定される。同様に、棒状部材４０２の側面固定部４４が左側の側壁３２に、棒状部材４０４の側面固定部４４が上部の側壁３２に、棒状部材４０１の側面固定部４４が左側の側壁３２にそれぞれねじＳｃで固定される。なお、側面固定部４４のねじ止めだけで棒状部材４０をしっかり固定できる場合、正面側のねじ止めを省略してもよい。
【００６３】
このように、側面固定部４４をねじ止め固定することで、棒状部材４０１、４０２、４０３及び４０４が外れる方向に摺動するのを抑えることができる。これにより、ベゼル４をパネルシャーシ３に強固に取り付けることが可能であり、びびり音の発生を抑制することが可能である。なお、図１６、図１７に示しているように、各棒状部材４０の側面カバー部４２の長手方向の長さは、棒状部材４０をパネルシャーシ３の対応する各辺の長さに対して側面固定部４４の幅の分だけ短く形成されている。また、図示しているように、側面固定部４４の幅は、正面カバー部４１の幅と同じである。
【００６４】
（第１１実施形態）
本発明にかかる液晶表示装置のさらに他の例について図面を参照して説明する。図１８は本発明にかかる液晶表示装置のさらに他の例の平面図であり、図１９は図１８に示す液晶表示装置の底面側からの側面図である。図１８に示す液晶表示装置Ｃは、棒状部材４０の形状が異なる以外は液晶表示装置Ｂと同じ構成を有しており、実質上同じ部分には同じ符号が付してある。また、実質上同じ部分の説明は省略する。
【００６５】
図１８、図１９に示しているように、液晶表示装置Ｃのベゼル４は棒状部材４０の正面カバー部４１が角部で重なる形状となっている。より詳細に説明すると、棒状部材４０の正面カバー部４１の側面固定部４４が連結しているのと反対側の端部に、長手方向に延びた連結部４５が形成されている。また、正面カバー部４１の側面固定部４４が連結している部分には、反時計回り、隣に配置された棒状部材４０の連結部４５が背面側に連結できるように、正面側に盛り上がった被連結部４６が形成されている。
【００６６】
図１８に示しているように、棒状部材４０１をパネルシャーシ３の下側の長辺に取り付けた後、左側の短辺に棒状部材４０３を取り付ける。このとき、棒状部材４０１の連結部４５を棒状部材４０３の被連結部４６の背面側に連結させる。このように、棒状部材４０３の連結部４５を棒状部材４０２の被連結部４６の背面側に、棒状部材４０２の連結部４５を棒状部材４０４の被連結部４６の背面側に、棒状部材４０４の連結部４５を棒状部材４０１の被連結部４６の背面側に、それぞれは位置する。この状態で、各棒状部材４０１、４０２、４０３及び４０４の側面固定部４４をねじＳｃで固定する。このように、棒状部材４０の一部が重なるようにパネルシャーシ３に取り付けることで、ベゼル４が浮いたりずれたりしにくい。また、連結部分である四隅の部分を補強することができるので、ベゼル４自体の変形を抑制することができ、それだけ、びびり音の発生を抑制することができる。なお、連結部４５と被連結部４６とが重なっている部分をねじでとも締めするようにしてもよい。これにより、より強固にベゼル４を固定することができる。
【００６７】
なお、上述の各実施形態において、棒状部材４０（４０１、４０２、４０３、４０４）として、金属板を切り曲げて形成したものとしているが、これに限定されるものではなく、金属の引き抜き成形で断面Ｌ字の棒状部材を形成した後、側面カバー部４２に止め部４３を作るものであってもよい。或いは樹脂の一体成形で形成されるものであってもよい。パネルシャーシ３の４辺それぞれのパネル支持部３１の周縁部と側壁３２とをしっかりカバーできる構成のものを広く採用することが可能である。なお、棒状部材４０、すなわち、ベゼル４を金属製とし、ベゼル４が接地されていることで、液晶表示ユニット１やバックライトユニット２への静電気や不要ふく射（ＥＭＩ）の影響を低減することが可能である。
【産業上の利用可能性】
【００６８】
本発明は、薄型テレビジョン装置、薄型ディスプレイ装置、携帯電話等の機器の表示装置として利用することができる。
【符号の説明】
【００６９】
１  液晶表示パネル
１１  パネル押え
２  バックライトユニット
２１  バックライトシャーシ
２２  ランプ
２３  ランプソケット
２４  ランプクリップ
２５  ランプホルダ
２６  光学シートユニット
２７  シート押え
３  パネルシャーシ
３１  パネル支持部
３１１  段差
３２  側壁
３３  嵌挿部
３３０  貫通孔
３３１  カバー部
３３２  開口
３３３  ガイド部
３４  係合部
３５  確認窓
４  ベゼル
４０  棒状部材
４１  正面カバー部
４２  側面カバー部
４３  止め部
４３１  脚部
４３２  押え部
４３３  リブ
４３４  リブ
４３５  リブ
４３６  確認マーカー
【図１】
2012058611.tif 000003
【図２】
2012058611.tif 000004
【図３】
2012058611.tif 000005
【図４】
2012058611.tif 000006
【図５】
2012058611.tif 000007
【図６】
2012058611.tif 000008
【図７】
2012058611.tif 000009
【図８】
2012058611.tif 000010
【図９】
2012058611.tif 000011
【図１０】
2012058611.tif 000012
【図１１】
2012058611.tif 000013
【図１２】
2012058611.tif 000014
【図１３】
2012058611.tif 000015
【図１４】
2012058611.tif 000016
【図１５】
2012058611.tif 000017
【図１６】
2012058611.tif 000018
【図１７】
2012058611.tif 000019
【図１８】
2012058611.tif 000020
【図１９】
2012058611.tif 000021